(57)【要約】【課題】穂先竿杆を構成する中実体の外側に巻回される繊維強化樹脂製プリプレグの剥離を防止した釣竿を提供する。【解決手段】本発明の釣竿は、中実状の芯材１２を備え、芯材１２の外面に繊維強化樹脂製プリプレグ２０を巻回している。中実状の芯材１２は、先端側から所定位置に屈曲ポイントが形成されるように、軸長方向に沿った表面状態が変化する変化部１２Ａを備えており、繊維強化樹脂製プリプレグ２０は、その巻回の先端が変化部１２Ａよりも基端側となるように、中実状の芯材１２に巻回されている。【選択図】図２
2010104263.tif 000002
【特許請求の範囲】
【請求項１】
中実状の芯材を備え、前記芯材の外面に繊維強化樹脂製プリプレグを巻回した穂先竿杆を有する釣竿において、
前記中実状の芯材は、先端側から所定位置に屈曲ポイントが形成されるように、軸長方向に沿った表面状態が変化する変化部を備えており、
前記繊維強化樹脂製プリプレグは、その巻回の先端が前記変化部よりも基端側となるように、前記中実状の芯材に巻回されることを特徴とする釣竿。
【請求項２】
前記中実状の芯材は、先端側に形成されるストレート状部と、ストレート状部の基端側に形成されるテーパ部とを備えており、前記変化部を、前記ストレート状部とテーパ部の境界部分に設けたことを特徴とする請求項１に記載の釣竿。
【請求項３】
前記繊維強化樹脂製プリプレグの先端位置は、前記テーパ部の後端から、そのテーパ部の長さの１０％以下の範囲にあることを特徴とする請求項１又は２に記載の釣竿。
【請求項４】
前記中実状の芯材は、前記テーパ部の基端側に、前記テーパ部のテーパよりも緩いテーパとなる緩テーパ部を有することを特徴とする請求項２又は３に記載の釣竿。
【請求項５】
前記繊維強化樹脂製プリプレグは、その先端が、１プライ以上巻回されることを特徴とする請求項１から４のいずれか１項に記載の釣竿。
【請求項６】
前記穂先竿杆には、釣糸が挿通される釣糸ガイドが装着され、その固定位置は、前記繊維強化樹脂製プリプレグ上としたことを特徴とする請求項１乃至５のいずれか１項に記載の釣竿。
【請求項７】
前記釣糸ガイドの固定位置は、前記緩テーパ部としたことを特徴とする請求項６に記載の釣竿。
【請求項８】
前記ストレート状部は、２０〜５０ｍｍの範囲で形成されることを特徴とする請求項２乃至７のいずれか１項に記載の釣竿。
【発明の詳細な説明】
【技術分野】
【０００１】
本発明は、釣竿に関し、詳細には、穂先竿杆に特徴を有する釣竿に関する。
【背景技術】
【０００２】
従来、釣竿の穂先竿杆として、例えば、特許文献１に開示されているように、中実状の繊維強化樹脂製ソリッド体に、繊維強化樹脂製プリプレグを巻回して成形したものが知られている。上記のように、繊維強化樹脂製ソリッド体に、繊維強化樹脂製プリプレグを巻回することで、折れにくい構造にすることが可能となり、更には、釣竿の穂先部分がしなやかに曲がって調子が良好となり、小さな魚信に対しても反応し易い構造となる。
【０００３】
そして、上記した公知技術では、図４に示すように、穂先竿杆３０が大きく撓んだときに、巻回した繊維強化樹脂製プリプレグ４０が剥離しないように、巻回端部に剥離を防止するための細幅の繊維強化樹脂製プリプレグ（補強プリプレグ）５０を巻回している。
【特許文献１】特開２００５−２１８４５９号
【発明の開示】
【発明が解決しようとする課題】
【０００４】
上記したように構成される穂先竿杆は、巻回される繊維強化樹脂製プリプレグ４０の先端側の端部に補強プリプレグ５０を巻回するため、その巻回位置では肉厚となって外径が大きくなってしまい、滑らかな剛性変化を得ることが難しくなってしまう。
【０００５】
また、補強プリプレグ５０を巻回することで竿杆外面が滑らかさを欠いてしまい、例えば、釣糸案内用の遊動ガイドを固定位置に移動させる際、スムーズな移動ができなくなってしまう。
【０００６】
本発明は、上記した問題に基づいてなされたものであり、穂先竿杆を構成する中実体の外側に巻回される繊維強化樹脂製プリプレグの剥離を防止した釣竿を提供することを目的とする。
【課題を解決するための手段】
【０００７】
上記した目的を達成するために、本発明に係る釣竿は、中実状の芯材を備え、前記芯材の外面に繊維強化樹脂製プリプレグを巻回した穂先竿杆を有しており、前記中実状の芯材は、先端側から所定位置に屈曲ポイントが形成されるように、軸長方向に沿った表面状態が変化する変化部を備え、前記繊維強化樹脂製プリプレグは、その巻回の先端が前記変化部よりも基端側となるように、前記中実状の芯材に巻回されることを特徴とする。
【０００８】
上記した構成の釣竿によれば、例えば、仕掛けを巻き込んで穂先竿杆が撓んだ際に、最も大きく撓む部分（屈曲ポイント）が、軸長方向に沿った表面状態が変化する変化部となっており、この変化部よりも基端側に繊維強化樹脂製プリプレグの巻回の先端を位置させているため、繊維強化樹脂プリプレグが剥離し難くなる。
【発明の効果】
【０００９】
本発明によれば、穂先竿杆を構成する中実体の外側に巻回される繊維強化樹脂製プリプレグが剥離し難い釣竿が得られるようになる。
【発明を実施するための最良の形態】
【００１０】
図１から図３は、本発明に係る釣竿の一実施形態を示す図であり、図１は全体構成を示す図、図２（ａ）は穂先竿杆の主要部の構成を示す図、図２（ｂ）は穂先竿杆の主要部の縦断面図、そして、図３は穂先竿杆を成形する際に巻回される繊維強化樹脂プリプレグの配置態様、及びプリプレグが巻回された状態の穂先竿杆の断面図である。
【００１１】
本実施形態の釣竿１は、元竿３、複数の中竿５、及び穂先竿杆１０を備えた構成となっており、各竿は、並継式又は振り出し式によって継合されている。この場合、中竿５は無い構成であっても良いし、図１に示すように、多数本継合されていても良い。
【００１２】
前記元竿３及び中竿５は、繊維強化樹脂製の管状体で構成されており、例えば、強化繊維（主に炭素繊維やガラス繊維等）に、エポキシ樹脂等の合成樹脂を含浸した繊維強化樹脂プリプレグ（プリプレグシート）を芯金に巻回し、加熱工程を経た後、脱芯する等、定法に従って所定の寸法に形成されている。
【００１３】
また、釣竿１は、元竿３に装着されるリールＲからの釣糸を案内する外ガイドが装着されるタイプであっても良いし、そのような外ガイドが装着されず、穂先竿杆１０の先端に釣糸を締結する釣糸締結具を取着した構成であっても良い。
【００１４】
前記穂先竿杆１０は、先側（穂先側）に配置される中実状の芯材１２と、この芯材１２が嵌入される管状の中空体１５によって構成されている。
【００１５】
前記芯材１２は、中実で柱状に構成されたものであれば良く、例えば、ガラス繊維や炭素繊維等にエポキシ樹脂等の合成樹脂を含浸して形成される強化繊維樹脂などの材料、或いは、Ｎｉ−Ｔｉ合金等の超弾性合金によって形成されている。また、その表面形状については、後述するように、所定の位置で屈曲ポイント（撓んだときに最も曲率が大きくなる位置）が生じるように、軸長方向に沿って変化するように形成されている。なお、芯材１２については、小さな魚信でも、その反応が検知できるような素材によって構成されていれば良く、特定の材料に限定されることはない。
【００１６】
また、前記穂先竿杆１０を構成する中空体１５は、前記元竿３や中竿５と同様、繊維強化樹脂製の管状体であり、その先端開口に芯材１２の基端部が嵌入され、両者は接着等によって固定される。このため、芯材１２には、その後端側に、管状の中空体１５の先端開口に嵌入される小径部（嵌入部）１３が形成されており、本実施形態では、嵌入部１３を中空体１５の先端開口に嵌入して両者を固定すると、芯材１２の表面（繊維強化樹脂層の表面）と中空体１５の表面は、図２に示すように面一状となる。
【００１７】
この場合、小径部１３は、後述するように巻回される繊維強化樹脂製のプリプレグ２０の基端部を切削加工することで形成されているが、芯材１２を小径化した構成であっても良い。また、もちろん、芯材１２と中空体１５の間には、多少の段部が生じるような嵌合関係であっても良い。
【００１８】
前記芯材１２の先端部には、釣糸を導出させるトップガイド１６が取着されている。また、芯材１２には、その表面の所定範囲、詳細には、後述する変化部よりも後方側に繊維強化樹脂製のプリプレグ２０が巻回されている。
【００１９】
以下、芯材１２の構成、及び巻回される繊維強化樹脂製のプリプレグ２０の構成について説明する。
【００２０】
芯材１２は、先端側から所定の位置に屈曲ポイントが形成されるように、軸長方向に沿った表面状態が変化する変化部１２Ａを備えている。この変化部１２Ａは、芯材１２が撓んだとき、最も曲率半径が小さくなる（最も曲率が大きくなる）部分であり、本実施形態では、芯材１２の表面に、軸長方向基端側に移行するに連れて次第に拡径するテーパ部を設けることで変化部１２Ａを形成するようにしている。
【００２１】
具体的には、芯材１２の先端側に、ストレート状部１２ａと、ストレート状部１２ａの基端側にテーパ部１２ｂを形成しておき、ストレート状部１２ａとテーパ部１２ｂの境界部分で変化部１２Ａが形成されるようにしている。
【００２２】
この場合、ストレート状部１２ａは、軸長方向に沿って外径が変化することのない厳密なストレート形状であっても良いし、基端側に移行するに連れて僅かに拡径して行くようなテーパ形状であっても良い。ただし、そのようなテーパ形状であっても、テーパ部１２ｂのテーパよりも緩く形成されている。
【００２３】
前記テーパ部１２ｂのテーパについては、特に限定されることはないが、穂先竿の調子等を考慮して、２．５０／１０００〜７．５０／１０００の範囲で形成されていれば良く、変化部１２Ａの外径は、０．４０〜０．８０ｍｍの範囲で形成されていれば良い。
【００２４】
また、本実施形態では、芯材１２には、テーパ部１２ｂの基端側に、テーパ部１２ｂのテーパよりも緩いテーパとなる緩テーパ部１２ｃが形成されている。
【００２５】
このような緩テーパ部１２ｃを形成しておくことにより、前記テーパ部１２ｂがそのまま延長形成されることによる穂先竿杆１０の先端領域が太径化することが防止され、軽量化が図れると共に、穂先竿杆１０の調子の向上を図ることが可能となる。具体的には、緩テーパ部１２ｃのテーパは、０．００／１０００〜０．５０／１０００の範囲で形成されていれば良く、前記基端部１２Ｂ（テーパ部１２ｂと以下の緩テーパ部１２ｃとの境界）の外径については、０．７０〜１．２０ｍｍの範囲で形成されていれば良い。
【００２６】
また、前記ストレート状部１２ａは、短過ぎると、変化部１２Ａが先端から近過ぎて屈曲ポイントとなり難くなり、繊維強化樹脂層の剥離防止効果が低下すると共に、穂先調子も低下してしまう。また、前記ストレート状部１２ａは、長過ぎると、穂先の先端部分が柔らか過ぎてしまい、釣竿としてのバランスが低下してしまう。このため、ストレート状部１２ａの長さについては、先端から２０〜５０ｍｍの範囲で形成しておくことが好ましい。
【００２７】
前記芯材１２には、変化部１２Ａの後方側に、繊維強化樹脂製のプリプレグ（以下、プリプレグと称する）２０が巻回される。
【００２８】
本実施形態では、巻回されるプリプレグ２０は、４枚（内側から順に符号２１〜２４で示す）としてあり、最外層となるプリプレグ２４は軸長方向で最も長く、それ以外のプリプレグの各先端縁２１ａ，２２ａ，２３ａは、芯材１２に巻回されると、最外層となるプリプレグ２４の先端縁２４ａよりも基端側に位置するようになる。また、巻回されるプリプレグ２０としての前端位置、すなわち、プリプレグ２４の先端縁２４ａは、前記テーパ部１２ｂの後端（基端部１２Ｂ）から、そのテーパ部１２ｂの長さの１０％以下の範囲となるように設定されている。
【００２９】
前記最内層となるプレプレグ２１は、強化繊維である炭素繊維（弾性率が３〜１０ｔｏｎ／ｍｍ2 ）を軸長方向に引き揃えて構成されており（概ね軸長方向に引き揃えたものであれば良い）、樹脂含浸量が２５〜４０ｗｔ％で、肉厚が０．０２〜０．１００ｍｍとされている。また、その基端縁２１ｂでは２プライ、先端縁２１ａでは２プライされるように裁断され、先端縁２１ａは、前記緩テーパ部１２ｃの前端側に位置するようにしている。
【００３０】
前記内側から２番目の層となるプレプレグ２２は、強化繊維である炭素繊維（弾性率が
３〜１０ｔｏｎ／ｍｍ2 ）を軸長方向に引き揃えて構成されており（概ね軸長方向に引き揃えたものであれば良い）、樹脂含浸量が２５〜４０ｗｔ％で、肉厚が０．０２〜０．１００ｍｍとされている。また、その基端縁２２ｂでは１プライ、先端縁２２ａでは０プライとなるように裁断され、先端縁２２ａは、前記緩テーパ部１２ｃの前端側で、プリプレグ２１の先端縁２１ａよりも基端側に位置するようにしている。
【００３１】
前記内側から３番目の層となるプレプレグ２３は、強化繊維である炭素繊維（弾性率が１０〜３０ｔｏｎ／ｍｍ2 ）を軸長方向に引き揃えて構成されており（概ね軸長方向に引き揃えたものであれば良い）、樹脂含浸量が２５〜４０ｗｔ％で、肉厚が０．０２〜０．１００ｍｍとされている。また、その基端縁２３ｂでは１プライ、先端縁２３ａでは０プライとなるように裁断され、先端縁２３ａは、前記緩テーパ部１２ｃの前端側で、プリプレグ２２の先端縁２２ａよりも基端側に位置するようにしている。
【００３２】
そして、最外層となるプレプレグ２４は、強化繊維である炭素繊維（弾性率が３〜１０ｔｏｎ／ｍｍ2 ）を軸長方向に引き揃えて構成されており（概ね軸長方向に引き揃えたものであれば良い）、樹脂含浸量が２５〜４０ｗｔ％で、肉厚が０．０２〜０．１００ｍｍとされている。また、その基端縁２４ｂ、及び先端縁２４ａでは、それぞれ１プライされるように裁断され、上記したように先端縁２４ａは、前記テーパ部１２ｂの後端（基端部１２Ｂ）から、そのテーパ部１２ｂの長さの１０％以下の範囲で巻回されている。
【００３３】
前記穂先竿杆１０に巻回されるプリプレグ２０については、上記したように複数枚であっても良いし、単数枚であっても良い。この場合、巻回されるプリプレグ２０の先端縁（本実施形態では、最外層となるプリプレグ２４の先端縁２４ａとなる）は、少なくとも１プライ以上（より好ましくは整数プライ数）、巻回されるように裁断しておくことが好ましい。
【００３４】
また、穂先竿杆１０には、図２に示すように、釣糸が挿通される釣糸ガイド３０，３１が装着されている。この場合、装着される釣糸ガイドについては、軸方向に移動できないような固定タイプであっても良いし、軸方向に移動して固定されるタイプ（遊動ガイド）であっても良い。
【００３５】
本実施形態では、釣糸ガイド３０は、前記芯材１２の領域で摺動し、かつ固定される遊動ガイドとして構成されており、その固定位置（固定ガイドの場合は、装着固定位置）については、芯材１２に巻回されるプリプレグ２０上となるように構成されている。
【００３６】
なお、釣糸ガイド３０が固定される位置については、前記緩テーパ部１２ｃとしておくことが好ましい。また、穂先竿杆１０の先端位置から釣糸ガイド３０が固定される位置（端部固定位置）までの距離については、調子のバランス、感度等を考慮して、１００ｍｍ前後に設定しておくことが好ましい。
【００３７】
前記釣糸ガイド３１については、前記芯材１２及び中空体１５の領域で摺動し、かつ固定される遊動ガイドとして構成されており、その固定位置については、中空体１５上となるように構成されている。
【００３８】
なお、上記した穂先竿杆１０に装着される釣糸ガイドについては、上記した釣糸ガイド３０のみであっても良いし、釣糸ガイド３１のみであっても良い。或いは、釣糸ガイド３１の基端側に更に設置されていても良い。
【００３９】
次に、上記したように構成される穂先竿杆１０を備えた釣竿の作用、効果について説明する。
【００４０】
上記したように、穂先竿杆１０の芯材１２は、先端側から所定位置に屈曲ポイント（変化部１２Ａ）を形成し、芯材１２に巻回されるプリプレグ２０は、その巻回の先端（プリプレグ２４の先端縁２４ａ）が変化部１２Ａよりも基端側となるように、芯材１２に巻回されている。このため、芯材１２が大きく撓んでも、最も曲率が大きくなる位置から先端縁２４ａが離れているため、プリプレグ２０の剥離が効果的に防止されるようになる。
【００４１】
特に、巻回されるプリプレグ２０の先端を１プライ以上となるように裁断しておくことで、その先端縁は円周状となり、より剥離し難くすることが可能となる。
【００４２】
また、例えば、実釣時において、仕掛けを巻き込んだとき等、通常の釣竿では、釣糸ガイド３０が固定される付近において、曲率が最大となることもあるが、本発明では、釣糸ガイド３０よりも先端側に屈曲ポイントとなる変化部１２Ａを設けているため、上記したようにプリプレグ２０の剥離が防止される効果に加え、釣糸ガイド３０の固定が緩んだり（固定ガイドの場合）、不用意に移動すること（遊動ガイドの場合）等も防止される。
【００４３】
この場合、釣糸ガイド３０が固定される位置を、穂先竿杆に巻回されるプリプレグ２０上としておくことで、より強い力で係止することが可能となる。特に、その固定される位置については、テーパ部１２ｂよりも緩いテーパで構成される緩テーパ部１２ｃとしたことで、圧入できる長さを確保できる構造となる。
【００４４】
そして、上記した構成では、屈曲ポイント（変化部１２Ａ）から離れてプリプレグ２０を巻回するようにしたため、図４に示す従来技術のように、剥離を防止するための補強用のプリプレグ５０を巻回する必要がなくなる。従って、部分的な肉厚領域が形成されることはなく、これにより穂先竿杆の剛性変化が滑らかとなって、調子が良好になると共に魚信感度の良い釣竿が得られるようになる。また、上記したように、部分的な肉厚領域が生じないため、釣糸ガイド３０をスムーズに移動させることも可能となる。
【００４５】
また、撓みの屈曲ポイントとなる変化部１２Ａを、ストレート状部１２ａとテーパ部１２ｂとの境界部分に設けており、ストレート状部１２ａを所定の長さ設けているため、ストレート状部を細径化することが可能となり、小さい魚信に対しても穂先先端部が反応し易い釣竿が得られるようになる。
【００４６】
また、芯材１２に巻回されるプリプレグ２０の先端位置を、テーパ部１２ｂの長さの１０％以下の範囲内に巻回しておくことで、剛性変化を滑らかにつなぐことができ、曲がりのきれいな一本ソリッドのような特性の穂先竿杆が得られる。
【００４７】
以上、本発明の実施形態について説明したが、本発明は、上記した実施形態に限定されることはなく、種々変形することが可能である。
【００４８】
例えば、穂先竿杆１０については、中空体１５を設けることなく、全て中実状の芯材で構成されていても良い。また、芯材１２に巻回されるプリプレグ２０の構成（強化繊維の種類や配置方向、樹脂含浸量、巻回枚数、プライ数）については、適宜変形することが可能である。
【００４９】
さらに、屈曲ポイントとなる変化部については、上記した実施形態のように、異なるテーパの境界部分によって形成しても良いし、テーパを設けることなく、段部等の表面変化によって形成しても良い。
【図面の簡単な説明】
【００５０】
【図１】本発明に係る釣竿の一実施形態を示す図であり、全体構成を示す図。
【図２】（ａ）は穂先竿杆の主要部の構成を示す図、（ｂ）は穂先竿杆の主要部の縦断面図。
【図３】穂先竿杆を成形する際に巻回される繊維強化樹脂プリプレグの配置態様、及びプリプレグが巻回された状態の穂先竿杆の断面図。
【図４】従来の穂先竿杆に巻回される繊維強化樹脂プリプレグの配置態様を示す図。
【符号の説明】
【００５１】
１  釣竿
１０  穂先竿杆
１２  芯材
１２ａ  ストレート状部
１２ｂ  テーパ部
１２ｃ  緩テーパ部
１２Ａ  変化部
１５  中空体
１６  トップガイド
２０，２１〜２４  繊維強化樹脂製プリプレグ
３０，３１  釣糸ガイド
【図１】
2010104263.tif 000003
【図２】
2010104263.tif 000004
【図３】
2010104263.tif 000005
【図４】
2010104263.tif 000006